(57)【要約】【課題】医用カンファレンスにて参照した医療情報を容易に再利用できる医療情報管理システムを提供する。【解決手段】医療情報管理システム１は、医療情報Ｄ１を保管する医療情報データベース６００と、新たな医療情報Ｄ２を入力する医療情報入力部２０と、医療情報Ｄ１、Ｄ２を表示する表示部４０と、この表示部４０に表示された医療情報Ｄ１、Ｄ２に対して医用カンファレンスの識別情報（カンファレンスＩＤ）を関連付けるカンファレンスＩＤ付与部３０と、記憶部６０と、カンファレンスＩＤ付与部３０による関連付け結果を記憶部６０に記憶させる制御部１０とを備えている。【選択図】図３
2008090715.tif 000002
【特許請求の範囲】
【請求項１】
医療情報を保管する少なくとも１つの医療情報データベースと、
医療情報を入力する入力手段と、
前記医療情報データベースから取得された医療情報及び前記入力手段により入力された医療情報のそれぞれを表示する表示手段と、
前記表示された医療情報に対して医用カンファレンスの識別情報を関連付ける関連付け手段と、
記憶手段と、
前記関連付け手段による関連付け結果を前記記憶手段に記憶させる制御手段と、
を備える、
ことを特徴とする医療情報管理システム。
【請求項２】
前記制御手段は、前記入力手段により入力された医療情報と、当該医療情報に関連付けられた前記識別情報とを前記関連付け結果として前記記憶手段に記憶させる、
ことを特徴とする請求項１に記載の医療情報管理システム。
【請求項３】
前記制御手段は、前記医療情報データベースから取得された医療情報について、当該医療情報の前記医療情報データベースにおける保管位置を示す保管位置情報と、当該医療情報に関連付けられた前記識別情報とを前記関連付け結果として前記記憶手段に記憶させる、
ことを特徴とする請求項１に記載の医療情報管理システム。
【請求項４】
操作手段を更に備え、
前記制御手段は、前記表示手段に表示された医療情報のうちの前記操作手段により指定された医療情報についてのみ、前記関連付け結果を前記記憶手段に記憶させる、
ことを特徴とする請求項１に記載の医療情報管理システム。
【請求項５】
前記制御手段は、前記操作手段により指定された各医療情報のデータサイズを検出する検出手段と、前記各医療情報について前記検出されたデータサイズの和を演算する演算手段と、前記演算された和の値が所定の閾値以下であるか判断する判断手段とを備え、前記和の値が前記所定の閾値以下であると判断された場合にのみ前記各医療情報を前記記憶手段に記憶させる、
ことを特徴とする請求項４に記載の医療情報管理システム。
【請求項６】
操作手段を更に備え、
前記検出手段は、前記表示手段に表示された医療情報のうちから前記操作手段により指定された医療情報のうち、前記入力手段により入力された医療情報についてのみデータサイズを検出する、
ことを特徴とする請求項５に記載の医療情報管理システム。
【請求項７】
前記制御手段は、前記関連付け結果として前記記憶手段に記憶される各医療情報のデータサイズを検出する検出手段と、前記各医療情報について前記検出されたデータサイズの和を演算する演算手段と、前記演算された和の値が所定の閾値以下であるか判断する判断手段とを備え、前記和の値が前記所定の閾値以下であると前記判断された場合にのみ前記各医療情報を前記記憶手段に記憶させる、
ことを特徴とする請求項１に記載の医療情報管理システム。
【請求項８】
前記演算手段により演算された和の値が前記所定の閾値を超えると前記判断手段により判断されたときに報知情報を出力する報知手段を更に備える、
ことを特徴とする請求項５又は請求項７に記載の医療情報管理システム。
【請求項９】
操作手段を更に備え、
前記制御手段は、前記操作手段が操作されたことに対応し、前記記憶手段に記憶される医療情報のプレビュー画面を前記表示手段に表示させる、
ことを特徴とする請求項１に記載の医療情報管理システム。
【請求項１０】
操作手段を更に備え、
前記制御手段は、過去に実施された医用カンファレンスの識別情報が前記操作手段により指定されたときに、当該指定された識別情報に対応する関連付け結果を前記記憶手段から読み出し、前記読み出された関連付け結果に基づいて当該指定された識別情報に関連付けられた医療情報を前記表示手段に表示させる、
ことを特徴とする請求項１に記載の医療情報管理システム。
【請求項１１】
前記入力手段は、記録媒体に記録された医療情報を読み取る読取装置、印刷媒体に印刷された医療情報を光学的に読み取るスキャナ装置、医療情報を撮影して記録する撮像装置、及び、インターネット上のサーバから医療情報を受信する通信装置のうちの少なくとも１つの装置を含んでいる、
ことを特徴とする請求項１に記載の医療情報管理システム。
【請求項１２】
前記医療情報データベースは、医用画像の画像データを保管する医用画像データベース、電子カルテ情報を保管する電子カルテデータベース、医用画像の読影結果が記載された読影レポートを保管する読影レポートデータベース、放射線科における検査結果を含む放射線科情報を保管する放射線科データベース及び循環器科における検査結果を含む循環器科情報を保管する循環器科データベースのうちの少なくとも１つのデータベースを含んでいる、
ことを特徴とする請求項１に記載の医療情報管理システム。
【請求項１３】
医療情報を保管する少なくとも１つの医療情報データベースにアクセス可能な医療情報管理装置であって、
医療情報を入力する入力手段と、
前記医療情報データベースから取得された医療情報及び前記入力手段により入力された医療情報のそれぞれを表示する表示手段と、
前記表示された医療情報に対して医用カンファレンスの識別情報を関連付ける関連付け手段と、
記憶手段と、
前記関連付け手段による関連付け結果を前記記憶手段に記憶させる制御手段と、
を備える、
ことを特徴とする医療情報管理装置。
【請求項１４】
医療情報を保管する少なくとも１つの医療情報データベースにアクセス可能とされ、医療情報を入力する入力手段と、表示手段と、記憶手段とを備えるコンピュータを、
前記表示手段に表示された前記医療情報データベースから取得された医療情報及び前記入力手段により入力された医療情報に対して、医用カンファレンスの識別情報を関連付ける関連付け手段として機能させるとともに、
前記関連付け手段による関連付け結果を前記記憶手段に記憶させる制御手段として機能させる、
ことを特徴とする医療情報管理プログラム。
【発明の詳細な説明】
【技術分野】
【０００１】
この発明は、医療情報を管理する医療情報管理システム、医療情報管理装置及び医療情報管理プログラムに関し、特に、医用カンファレンスにおいて参照される医療情報を管理する医療情報管理システム、医療情報管理装置及び医療情報管理プログラムに関する。
【背景技術】
【０００２】
医用カンファレンス（単に「カンファレンス（ｃｏｎｆｅｒｅｎｃｅ）」と称することがある。）は、複数の医師等が集まって治療や手術の方針等について検討を行う会のことである。カンファレンスは、患者の入院時や手術の前後などに実施される。
【０００３】
特許文献１、２には、カンファレンスに適用されるシステムが開示されている。特許文献１に記載のシステムは、医療機関内のカンファレンス室におけるカンファレンスに適用されるものである。一方、特許文献２に記載のシステムは、広域ネットワークを介してカンファレンスを実施するためのものである。
【０００４】
ところで、近年、電子カルテや医用画像等の医療情報の電子化が急速に進行している。カンファレンスにおいても、電子化された医療情報を参照する機会が増加している。カンファレンスで参照される医療情報としては、カルテ情報や医用画像等が代表的なものである。このような代表的な参照情報は、電子カルテや医用画像の電子データを管理するデータベースからネットワーク経由で取得されて閲覧に供されるのが一般的である。
【０００５】
また、カンファレンスにおいては、これらの代表的な参照情報の他に、関連分野の論文、学会誌、専門書、インターネット上に公開された情報等の様々な参考文献や画像を参照することも多々ある。これらの参照情報は、電子データについては医師のコンピュータや記録媒体（フロッピー（登録商標）ディスク、ＣＤ−ＲＯＭ、ＤＶＤ−ＲＯＭ等）などに保存され、書籍等については本棚等に保管される。したがって、これらの参照情報は、電子カルテや医用画像のように医療機関内のデータベースから取得可能な情報ではない。
【０００６】
【特許文献１】特開２００５−４０２２３号公報
【特許文献２】特開２００４−６２７０９号公報
【発明の開示】
【発明が解決しようとする課題】
【０００７】
従来、カンファレンスにて参照された医用画像等の電子データや参考文献等の医療情報は、それぞれ個別に管理されていた。したがって、過去のカンファレンスでの各種の参照情報を集めて再び参照することは困難であった。
【０００８】
特に、参考文献等のデータベース化されていない参照情報については、前述のように医師のコンピュータや記録媒体や本棚にて保管されており、統合的に管理されていなかった。そのため、これらの参照情報の再利用は非常に困難であった。
【０００９】
この発明は、以上のような事情に鑑みてなされたもので、医用カンファレンスにて参照した医療情報を容易に再利用することが可能な医療情報管理システム、医療情報管理装置及び医療情報管理プログラムを提供することを目的とする。
【課題を解決するための手段】
【００１０】
上記目的を達成するために、請求項１に記載の発明は、医療情報を保管する少なくとも１つの医療情報データベースと、医療情報を入力する入力手段と、前記医療情報データベースから取得された医療情報及び前記入力手段により入力された医療情報のそれぞれを表示する表示手段と、前記表示された医療情報に対して医用カンファレンスの識別情報を関連付ける関連付け手段と、記憶手段と、前記関連付け手段による関連付け結果を前記記憶手段に記憶させる制御手段と、を備える、ことを特徴とする医療情報管理システムである。
【００１１】
また、請求項１３に記載の発明は、医療情報を保管する少なくとも１つの医療情報データベースにアクセス可能な医療情報管理装置であって、医療情報を入力する入力手段と、前記医療情報データベースから取得された医療情報及び前記入力手段により入力された医療情報のそれぞれを表示する表示手段と、前記表示された医療情報に対して医用カンファレンスの識別情報を関連付ける関連付け手段と、記憶手段と、前記関連付け手段による関連付け結果を前記記憶手段に記憶させる制御手段と、を備える、ことを特徴とする。
【００１２】
また、請求項１４に記載の発明は、医療情報を保管する少なくとも１つの医療情報データベースにアクセス可能とされ、医療情報を入力する入力手段と、表示手段と、記憶手段とを備えるコンピュータを、前記表示手段に表示された前記医療情報データベースから取得された医療情報及び前記入力手段により入力された医療情報に対して、医用カンファレンスの識別情報を関連付ける関連付け手段として機能させるとともに、前記関連付け手段による関連付け結果を前記記憶手段に記憶させる制御手段として機能させる、ことを特徴とする医療情報管理プログラムである。
【発明の効果】
【００１３】
この発明によれば、表示手段に表示された医療情報に対して医用カンファレンスの識別情報を関連付けるとともに、この医療情報と前記識別情報との関連付け結果を記憶手段に記憶させるように作用するので、医用カンファレンスにて参照した医療情報を各カンファレンス毎に関連付けて記憶しておくことができる。
【００１４】
それにより、過去の所望のカンファレンスで参照した医療情報を、そのカンファレンスの識別情報に基づいて容易に読み出して再利用することが可能となる。
【発明を実施するための最良の形態】
【００１５】
この発明に係る医療情報管理システム、医療情報管理装置及び医療情報管理プログラムの好適な実施形態の一例について図面を参照しながら詳細に説明する。
【００１６】
［システム構成］
まず、図１〜図３を参照して、この実施形態に係る医療情報管理システムの構成を説明する。ここで、図１は、この実施形態に係る医療情報管理システム１の全体構成を表す。図２は、この医療情報管理システム１のハードウェア構成を表す。図３は、この医療情報管理システム１の機能的構成を表す。なお、図１、図２に示す構成は、図３に示す機能的構成を実現するためのハードウェア構成の一例を表すものである。
【００１７】
［全体構成］
医療情報管理システム１は、図１に示すように、カンファレンス用コンピュータ１００を中心として構成されている。カンファレンス用コンピュータ１００は、たとえば医療機関内のカンファレンス室に設置されたコンピュータ装置であり、医用カンファレンスにおいて各種の医療情報を参照するために使用される。
【００１８】
カンファレンス用コンピュータ１００には、接続線Ｌ１を介してカンファレンスデータベース２００が通信可能に接続されている。カンファレンスデータベース２００は、医用カンファレンスにて参照された各種の医療情報等を格納するハードディスクドライブ等の大容量の記憶装置を含んで構成される。接続線Ｌ１は、たとえばＬＡＮや専用線などにより構成される。
【００１９】
また、カンファレンス用コンピュータ１００には、接続線Ｌ２を介してドライブ装置３００、スキャナ装置４００及びデジタルカメラ５００がそれぞれ接続されている。ここで、接続線Ｌ２は、たとえばＬＡＮや専用線などにより構成される。なお、図１等では、ドライブ装置３００、スキャナ装置４００及びデジタルカメラ５００のそれぞれを同じ接続線Ｌ２によってカンファレンス用コンピュータ１００に接続しているが、各々個別の接続線を用いるようにしてもよい。
【００２０】
ドライブ装置３００は、記録媒体に記録された情報を読み取ってカンファレンス用コンピュータ１００に入力する装置である。この記録媒体には、医学分野の論文や記事等の文献や画像等の電子データが記録されている。この記録媒体に記録された情報は、この発明の「医療情報」の一例に相当する。また、ドライブ装置３００は、この発明の「読取装置」の一例として機能するものである。
【００２１】
ドライブ装置３００により記録情報が読み取られる記録媒体としては、たとえば、フロッピー（登録商標）ディスク、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭ、ＤＶＤ＋Ｒ、ＤＶＤ＋ＲＷ、ハードディスクドライブ、ＭＯ、Ｚｉｐ、磁気テープ、メモリカード、ＵＳＢメモリなど、任意の記録媒体を適宜に用いることができる。ただし、使用する記録媒体に適合するドライブ装置３００をあらかじめ設けておく必要がある。
【００２２】
スキャナ装置４００は、印刷媒体に印刷された情報を光学的に読み取ってカンファレンス用コンピュータ１００に入力する装置である。この印刷媒体は、医学分野の論文や記事等の文献や画像等が印刷された論文集、学会誌、専門書などである。この印刷媒体に印刷された情報は、この発明の「医療情報」の一例に相当する。また、スキャナ装置４００は、この発明の「スキャナ装置」の一例として機能するものである。
【００２３】
デジタルカメラ５００は、撮影対象である医療情報を電子的に撮影して記録するとともにカンファレンス用コンピュータ１００に入力する装置である。撮影対象の医療情報としては、たとえば患者の皮膚の状態等の患部の画像などがある。デジタルカメラ５００は、この発明の「撮像装置」の一例として機能するものである。
【００２４】
また、カンファレンス用コンピュータ１００には、接続線Ｌ３を介して医療情報データベース６００Ａ、６００Ｂ、６００Ｃが接続されている。各医療情報データベース６００Ａ、６００Ｂ、６００Ｃ（まとめて「医療情報データベース６００」と記載することがある。）は、医用カンファレンスにおいて参照される各種の医療情報を保管している。
【００２５】
医療情報データベース６００は、たとえば医用画像データベース、電子カルテデータベース、読影レポートデータベース、放射線科データベース、循環器科データベースのうちの少なくとも１つのデータベースを含んで構成される。なお、図１に示すシステム構成においては、３つの医療情報データベース６００Ａ〜６００Ｃが記載されているが、医療情報データベース６００の個数は任意（１つ以上）である。
【００２６】
ここで、医用画像データベースとしては、医用画像の画像データを保管するＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等におけるデータベースを用いることができる。なお、医用画像とは、Ｘ線診断装置、Ｘ線ＣＴ装置、ＭＲＩ装置、核医学診断装置、超音波診断装置等の各種の医用画像診断装置により患者を撮影して得られる画像を意味している。
【００２７】
電子カルテデータベースとしては、電子カルテ情報を保管するＨＩＳ（Ｈｏｓｐｉｔａｌ  Ｉｎｆｏｒｍａｔｉｏｎ  Ｓｙｓｔｅｍ）等におけるデータベースを用いることができる。
【００２８】
読影レポートデータベースとしては、医用画像の読影結果が記載された読影レポートを保管するデータベースを用いることができる。
【００２９】
放射線科データベースとしては、放射線科における検査結果（たとえばオーダ情報や造影剤の種類など）を含む放射線科情報を保管するＲＩＳ（Ｒａｄｉｏｌｏｇｙ  Ｉｎｆｏｒｍａｔｉｏｎ  Ｓｙｓｔｅｍ）等におけるデータベースを用いることができる。
【００３０】
循環器科データベースとしては、循環器科における検査結果（たとえばオーダ情報や造影剤の種類など）を含む循環器科情報を保管するＣＩＳ（Ｃａｒｄｉｏｌｏｇｙ  Ｉｎｆｏｒｍａｔｉｏｎ  Ｓｙｓｔｅｍ）等におけるデータベースを用いることができる。
【００３１】
このような医療情報データベース６００に保管されている上記の情報は、この発明の「医療情報」の一例に相当するものである。
【００３２】
また、カンファレンス用コンピュータ１００は、インターネットＮを介してサーバ７００に接続されている。サーバ７００は、医学分野の論文や記事等の文献や画像等の電子データが記載された各種のホームページを管理している。このサーバ７００によって管理されているホームページに記載された医学分野の情報は、この発明の「医療情報」の一例に相当する。サーバ７００は、カンファレンス用コンピュータ１００等のコンピュータ端末からの要求を受けて当該電子データをインターネットＮを通じて提供する。サーバ７００は、この発明の「インターネット上のサーバ」の一例に相当するものである。
【００３３】
［ハードウェア構成］
次に、この医療情報管理システム１（主としてカンファレンス用コンピュータ１００）のハードウェア構成について図２を参照しつつ説明する。
【００３４】
カンファレンス用コンピュータ１００は、一般的なコンピュータと同様に、マイクロプロセッサ１０１、主記憶装置１０２、外部記憶装置１０３、コンソール１０４、周辺機器インターフェイス１０７及び通信インターフェイス１０８を含んで構成される。なお、符号１０９は、これら各部を接続するバスを示している。以下、カンファレンス用コンピュータ１００のこれらの構成部分についてそれぞれ説明する。
【００３５】
マイクロプロセッサ１０１は、ＣＰＵやＭＰＵ等の演算制御装置を含んで構成される構成される。主記憶装置１０２は、ＲＡＭ等のメモリ装置を含んで構成される。外部記憶装置１０３は、ＲＯＭやハードディスクドライブ等の記憶装置を含んで構成される。
【００３６】
外部記憶装置１０３には、コンピュータプログラム１０３ａがあらかじめ格納されている。マイクロプロセッサ１０１は、このコンピュータプログラム１０３ａを主記憶装置１０２上に展開して、この実施形態に特徴的な後述の処理を医療情報管理システム１に実施させる。
【００３７】
コンソール１０４は、表示デバイス１０５と操作デバイス１０６を含んで構成される。表示デバイス１０５は、ＬＣＤ（液晶ディスプレイ）やＣＲＴディスプレイなどの任意の表示装置を含んで構成される。操作デバイス１０６は、キーボード、マウス、トラックボール、ジョイスティック、操作卓などの任意の操作装置や入力装置を含んで構成される。
【００３８】
なお、図２に示すコンソール１０４においては、表示デバイス１０５と操作デバイス１０６とがそれぞれ個別に設けられているが、これらを一体化したタッチパネル式のＬＣＤやペンタブレットなどをコンソール１０４として用いることも可能である。
【００３９】
周辺機器インターフェイス（Ｉ／Ｆ）１０７は、カンファレンス用コンピュータ１００とその周辺機器を接続するインターフェイスである。この周辺機器インターフェイス１０７としては、ＵＳＢ（Ｕｎｉｖｅｒｓａｌ  Ｓｅｒｉａｌ  Ｂｕｓ）やＳＣＳＩ（Ｓｍａｌｌ  Ｃｏｍｐｕｔｅｒ  Ｓｙｓｔｅｍ  Ｉｎｔｅｒｆａｃｅ）等の任意の周辺機器接続規格のコントローラを用いることができる。この実施形態では、ドライブ装置３００、スキャナ装置４００及びデジタルカメラ５００は、カンファレンス用コンピュータ１００の周辺機器として使用される。
【００４０】
通信インターフェイス（Ｉ／Ｆ）１０８は、ＬＡＮカード等のネットワークアダプタや、インターネットに接続するためのモデムなどの任意の通信装置を含んで構成される。カンファレンス用コンピュータ１００は、通信インターフェイス１０８によってカンファレンスデータベース２００や医療情報データベース６００やサーバ７００にアクセスする。この通信インターフェイス１０８は、この発明の「通信装置」の一例として機能するものである。
【００４１】
［機能的構成］
次に、この医療情報管理システム１（主としてカンファレンス用コンピュータ１００）の機能的構成について図３を参照しつつ説明する。
【００４２】
医療情報管理システム１は、医療情報データベース６００に加えて、制御部１０、医療情報入力部２０、カンファレンスＩＤ付与部３０、表示部４０、操作部５０及び記憶部６０を備えている。以下、これら各部の詳細をそれぞれ説明する。
【００４３】
〔制御部〕
制御部１０は、医療情報管理システム１の各部の制御を行うものである。制御部１０（特に医療情報管理部１１：後述）は、この発明の「制御手段」の一例として機能する。
【００４４】
制御部１０は、図２に示すマイクロプロセッサ１０１、主記憶装置１０２、外部記憶装置１０３、周辺機器インターフェイス１０７及び通信インターフェイス１０８を含んで構成される。外部記憶装置１０３に記憶されたコンピュータプログラム１０３ａにしたがってマイクロプロセッサ１０１が動作することにより、制御部１０は、以下に説明するような各種の処理を実行する。
【００４５】
制御部１０は、表示部４０に各種の画面や画像等の情報を表示させる処理を行う。また、制御部１０は、記憶部６０に情報を記憶させる処理や、記憶部６０から情報を読み出す処理などを行う。また、制御部１０は、操作部５０に対する操作内容に応じて医療情報管理システム１の各部を制御する。
【００４６】
また、制御部１０は、医療情報データベース６００に保管されている医療情報Ｄ１を取得する処理を行う。ここで、医療情報Ｄ１は、前述の医用画像データベース、電子カルテデータベース、読影レポートデータベース、放射線科データベース、循環器科データベースに保管されている情報である。
【００４７】
また、制御部１０は、医療情報入力部２０から入力される医療情報Ｄ２を受け付ける処理を行う。この医療情報Ｄ２については後述する。
【００４８】
制御部１０には、医療情報管理部１１、データサイズ検出部１２、データサイズ演算部１３及びデータサイズ判断部１４が設けられている。データサイズ検出部１２、データサイズ演算部１３及びデータサイズ判断部１４は、後述のように連係して動作するようになっている。
【００４９】
（医療情報管理部）
医療情報管理部１１は、医療情報データベース６００から取得された医療情報Ｄ１や、医療情報入力部２０から入力された医療情報Ｄ２の管理を行う。より具体的に説明すると、医療情報管理部１１は、制御部１０が受け付けた医療情報Ｄ１、Ｄ２を（たとえば外部記憶装置１０３に）記憶する。
【００５０】
また、医療情報管理部１１は、制御部１０が受け付けた医療情報Ｄ１、Ｄ２のリストを作成し、医療情報Ｄ１、Ｄ２と、その記憶位置（たとえば外部記憶装置１０３におけるディレクトリ）とを関連付ける。それにより、制御部１０は、オペレータ等からの要求に応じた医療情報Ｄ１、Ｄ２を適宜に読み出すことが可能になる。
【００５１】
また、医療情報管理部１１は、制御部１０が受け付けた医療情報Ｄ１、Ｄ２のうち、オペレータが指定した医療情報を特定する情報を生成する。この医療情報を特定する情報（特定情報）としては、たとえば、オペレータに指定されたことを示すフラグや、指定された医療情報のリストなどが生成される。前者の場合、医療情報管理部１１は、生成したフラグを指定された医療情報に付与する。このような処理を行うことにより、制御部１０は、オペレータに指定した医療情報と、指定されていない医療情報とを識別することができる。なお、医療情報の指定については後述する。
【００５２】
（データサイズ検出部）
データサイズ検出部１２は、制御部１０が受け付けた医療情報Ｄ１、Ｄ２のデータサイズを検出する処理を行う。特に、データサイズ検出部１２は、制御部１０が受け付けた医療情報Ｄ１、Ｄ２のうち、オペレータにより指定された医療情報についてのみデータサイズを検出するようにしてもよい。また、データサイズ検出部１２は、医療情報入力部２０から入力された医療情報Ｄ２についてのみデータサイズを検出するようにしてもよい。
【００５３】
ここで、データサイズとは、データの情報量を意味し、一般にバイト（ｂｙｔｅ）やビット（ｂｉｔ）を単位とするものである。
【００５４】
各医療情報Ｄ１、Ｄ２には、そのデータサイズを示す情報があらかじめ添付されているものとする。たとえば、医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）においては、医用画像のデータサイズを示す情報をタグ（ＤＩＣＯＭタグなどと呼ばれる。）に記録することができる。また、その他の各種医療情報は、ＯＳ（Ｏｐｅｒａｔｉｎｇ  Ｓｙｓｔｅｍ）によってファイル形式で管理することができ、各ファイルにそのデータサイズを示す情報を付帯させることができる。
【００５５】
データサイズ検出部１２は、このようなデータサイズを示す情報を参照することにより、当該医療情報Ｄ１、Ｄ２のデータサイズを検出することができる。
【００５６】
このような処理を行うデータサイズ検出部１２は、この発明の「検出手段」の一例として機能するものである。
【００５７】
（データサイズ演算部）
データサイズ演算部１３は、データサイズ検出部１２によって検出された医療情報Ｄ１、Ｄ２のデータサイズの値の和を演算する。データサイズ演算部１３は、この発明の「演算手段」の一例として機能するものである。
【００５８】
データサイズ演算部１３による処理について、より具体的に説明する。医用カンファレンスにおいては、患者の状態や手術結果などを多面的に検討するために、多種多様な医療情報を参照するのが一般的である。したがって、データサイズ検出部１２は、複数の医療情報Ｄ１、Ｄ２について、そのデータサイズを検出することになる。データサイズ演算部１３は、複数の医療情報Ｄ１、Ｄ２のそれぞれについて検出されたデータサイズの値を加算して、当該複数の医療情報Ｄ１、Ｄ２のデータサイズの和を求める。
【００５９】
なお、前述のように、医療情報入力部２０により入力された（複数の）医療情報Ｄ２についてのみデータサイズの検出を行う場合、データ演算部１３は、これら複数の医療情報Ｄ２のデータサイズの和を演算することになる。
【００６０】
（データサイズ判断部）
データサイズ判断部１４は、データサイズ演算部１３により演算されたデータサイズの和の値と所定の閾値との大小関係を判断する。データサイズ判断部１４は、この発明の「判断手段」の一例として作用する。
【００６１】
データサイズ判断部１４による判断基準となる閾値は、たとえば外部記憶装置１０３にあらかじめ記憶されている。この閾値は、たとえば記憶部６０の記憶容量、カンファレンスの実施頻度、各カンファレンスにて参照する医療情報の量などの事情を考慮して設定される。なお、この閾値は、常に同じ値に設定するようにしてもよいし、カンファレンス実施前や実施時に設定するようにしてもよい。
【００６２】
〔医療情報入力部〕
医療情報入力部２０は、医療情報管理システム１に医療情報Ｄ２を入力する。医療情報入力部２０は、この発明の「入力手段」の一例として機能するものである。
【００６３】
医療情報入力部２０により入力される医療情報Ｄ２は、医療情報データベース６００に保管されている医療情報とは異なるものであり、特に、今回のカンファレンスにおいて新たに参照される医療情報である。
【００６４】
医療情報入力部２０は、ドライブ装置３００、スキャナ装置４００、デジタルカメラ５００、通信インターフェイス１０８など、医療情報管理システム１に医療情報Ｄ２を入力する任意の装置を含んで構成される。ここで、ドライブ装置３００は、記録媒体に記録された医療情報Ｄ２を入力する装置である。また、スキャナ装置４００は、印刷媒体に印刷された医療情報Ｄ２を入力する装置である。また、デジタルカメラ５００は、撮影対象を撮影した画像の電子データやその撮影情報（撮影日時等）を含む医療情報Ｄ２を入力する装置である。また、通信インターフェイス１０８は、インターネットＮ上のサーバ７００から医療情報Ｄ２を受信する装置である。
【００６５】
なお、この発明の入力手段は、医療情報管理システム１に医療情報Ｄ２を入力可能な任意のデバイスによって構成することができる。たとえば、ノートパソコンやＰＤＡ（Ｐｅｒｓｏｎａｌ  Ｄｉｇｉｔａｌ  Ａｓｓｉｓｔａｎｎｃｅ）や携帯電話等の携帯端末などを入力手段として用いることができる。
【００６６】
〔カンファレンスＩＤ付与部〕
カンファレンスＩＤ付与部３０は、制御部１０が受け付けた医療情報Ｄ１、Ｄ２に対して今回のカンファレンスの識別情報を付与する。カンファレンスＩＤ付与部３０は、この発明の「関連付け手段」の一例として機能するものである。
【００６７】
カンファレンスの識別情報（カンファレンスＩＤと呼ぶことにする。）は、各カンファレンスを識別するための情報である。このカンファレンスＩＤの具体例としては、カンファレンスの実施日時（たとえば開始日時や終了日時）、カンファレンス室の部屋番号、実施されたカンファレンスの通し番号、参加医師名（たとえば主治医名）、検討対象の患者名や患者ＩＤなど、各カンファレンスを識別可能とする任意の情報（又はそれらの任意の組合せ）に基づいて生成される。
【００６８】
〔表示部、操作部〕
表示部４０は、制御部１０の制御に基づいて医療情報Ｄ１、Ｄ２を表示する。表示部４０は、図２に示した表示デバイス１０５を含んで構成される。また、この表示部４０としては、カンファレンス用コンピュータ１００の周辺機器インターフェイス１０７に接続されたプロジェクタ（映像投影装置）や大画面テレビなどを用いることも可能である。このような表示部４０は、この発明の「表示手段」の一例として機能するものである。
【００６９】
操作部５０は、図２に示した操作デバイスを含んで構成され、この発明の「操作手段」の一例として機能するものである。
【００７０】
〔記憶部〕
記憶部６０は、医療情報Ｄ１、Ｄ２や、それらに付与されたカンファレンスＩＤなどを記憶するものである。
【００７１】
なお、たとえば医療情報Ｄ１の医用画像の画像データのようにデータサイズが大きい医療情報については、その医療情報自体を記憶させる代わりに、医療情報データベース６００における保管位置を示す保管位置情報を記憶部６０に記憶させることが望ましい。この保管位置情報としては、たとえば、医療情報データベース６００のネットワークアドレスやディレクトリ等の情報を用いることができる。
【００７２】
また、たとえばインターネットＮ上のサーバ７００により管理されている医療情報Ｄ２や、院内ネットワーク上の医師端末（図示せず）に保管されている医療情報Ｄ２のようにアクセスが容易な医療情報についても、その医療情報自体を記憶させる代わりに、その保管位置情報を記憶させることができる。この場合の保管位置情報としては、医療情報Ｄ２が記載されたホームページのＩＰ（Ｉｎｔｅｒｎｅｔ  Ｐｒｏｔｏｃｏｌ）アドレスや、医師端末のネットワークアドレス及び医師端末内のハードディスクドライブにおけるディレクトリなどを用いることができる。
【００７３】
このように医療情報自体の代わりに保管位置情報（つまりリンク先のアドレス情報）を記憶させる構成を適用しても、カンファレンス用コンピュータ１００は、医療情報の保管先にアクセスしてその医療情報を容易に取得することができるので、特に不都合はない。ただし、サーバ７００が管理している医療情報のように、目的の医療情報が不意に削除されるおそれのある場合については、その医療情報自体を記憶部６０に記憶させるように構成することが望ましいこともある。
【００７４】
［使用形態］
以上のような構成を有する医療情報管理システム１の使用形態について説明する。図４、図５に示すフローチャートは、医療情報管理システム１の使用形態の一例を表している。
【００７５】
ここで、図４のフローチャートは、カンファレンスを実施しているときの医療情報管理システム１の使用形態の一例を表し、図５のフローチャートは、カンファレンスにて参照された医療情報を記憶するための医療情報管理システム１の使用形態の一例を表している。また、図６〜図９は、この使用形態において医療情報管理システム１が表示する表示画面の一例を表している。
【００７６】
〔医療情報表示画面を表示させる：図４〕
まず、カンファレンス用コンピュータ１００のオペレータは、操作部５０を操作して、図６に示す医療情報表示画面１０００を表示部４０に表示させる（Ｓ１）。この表示処理は、制御部１０が行う。
【００７７】
医療情報表示画面１０００を表示させるための操作としては、カンファレンスの検討対象の患者の識別情報（患者ＩＤ、患者氏名等）を指定ないし入力する。なお、この段階においては、医療情報表示画面１０００の医療情報表示部１３００（後述）に医療画像等の医療情報は表示されていない。
【００７８】
医療情報表示画面１０００は、カンファレンスにて参照する各種の医療情報を表示するための画面である。この医療情報表示画面１０００には、患者情報表示部１１００、診療カレンダー表示部１２００、医療情報表示部１３００が設けられている。
【００７９】
患者情報表示部１１００は、カンファレンスの検討対象の患者に関する情報（患者情報）が表示される。この患者情報表示部１１００には、患者ＩＤ、氏名、性別、出生日などが患者情報として表示される。
【００８０】
診療カレンダー表示部１２００は、当該患者に対する診療の日程を示すカレンダー（診療カレンダー）が表示される。この診療カレンダーは、過去に実施した診療内容と、将来に実施予定の診療内容とを呈示するものである。
【００８１】
診療カレンダー表示部１２００には、カンファレンスの実施日（時）が表示される。図６においては、過去に実施したカンファレンスの実施日として、入院時のカンファレンス（入院カンファレンス）の実施日「１／１１」、手術前のカンファレンス（術前カンファレンス）の実施日「２／０７」、手術後のカンファレンス（術後カンファレンス）の実施日「３／０２」が表示されている。また、図６においては、今回のカンファレンスの実施日時「３／２２  １６：２３」が表示されている。
【００８２】
また、図６の診療カレンダー表示部１２００には、各種の医用画像診断装置のそれぞれによる画像撮影日程が表示される。たとえば、「ＣＴ」（Ｘ線ＣＴ装置）による撮影日として、過去の実施日「１／１０」、「１／２５」、「２／０１」、「３／０１」、「３／２０」と、将来の撮影予定日「３／３０」、「４／１０」が表示されている。
【００８３】
診療カレンダー表示部１２００に表示された各診療内容には、その診療内容によって得られた医療情報の保管位置情報（リンク先のアドレス情報）が関連付けられている。たとえば、診療カレンダー表示部１２００に表示された各医用画像診断装置による各撮影日に対して、当該医用画像診断装置により当該撮影日に撮影された医用画像の画像データの保管位置情報が関連付けられている。これら画像データ等の医療情報は、医療情報データベース６００に保管されている。また、これら医療情報の保管位置情報は、あらかじめ記憶部６０に記憶されている。
【００８４】
〔診療カレンダーに記載された医療情報を表示させる：図４〕
オペレータは、操作部５０を操作して、診療カレンダー表示部１２００に表示された診療内容のうちから所望の診療内容（たとえば所望の医用画像診断装置による所望の撮影日時）を指定する（Ｓ２）。この指定操作としては、たとえばマウスによるクリック操作を適用することができる。
【００８５】
制御部１０は、指定された診療内容に関連付けられた医療情報Ｄ１の保管位置情報を記憶部６０を探索して取得する（Ｓ３）。次に、制御部１０は、この保管位置情報に基づいて医療情報データベース６００から医療情報Ｄ１を取得する（Ｓ４）。そして、制御部１０は、この医療情報Ｄ１を医療情報表示部１３００に表示させる（Ｓ５）。
【００８６】
医療情報データベース６００から取得された医療情報Ｄ１は、医療情報管理部１１により記憶されて管理される。なお、医療情報Ｄ１のデータサイズが大きい場合（たとえば医療情報Ｄ１が医用画像や電子カルテなどである場合）などには、医療情報管理部１１は、医療情報Ｄ１自体を記憶して管理する代わりに、この医療情報Ｄ１の保管位置情報を記憶して管理する。この使用形態では、医療情報データベース６００から取得された各医療情報Ｄ１について、医療情報管理部１１は、その保管位置情報を記憶して管理するものとする。
【００８７】
図６の医療情報表示部１３００には、ステップＳ２において診療カレンダー表示部１２００における「ＣＴ」の欄の「３／２０」と、「ＭＲ」（ＭＲＩ装置）の欄の「３／１２」が指定された場合に表示される医用画像Ｇ１〜Ｇ４（医療情報Ｄ１）の表示態様を表している。ここで、医用画像Ｇ１、Ｇ２は、３月２０日に実施されたＸ線ＣＴ装置による撮影で得られた医用画像である。また、医用画像Ｇ３、Ｇ４は、３月１２日に実施されたＭＲＩ装置による撮影で得られた医用画像である。
【００８８】
医療情報表示部１３００に表示された各医用画像Ｇｉ（ｉ＝１〜４）の上方には、画像情報表示部１３１０、フィルム表示ボタン１３２０及びレポート表示ボタン１３３０がそれぞれ表示される。
【００８９】
画像情報表示部１３１０には、その医用画像Ｇｉの種別と、撮影日時と、撮影枚数など、医用画像Ｇｉに関する情報が呈示される。たとえば医用画像Ｇ１の画像情報表示部１３１０には、撮影種別「ＣＴ」、撮影日時「２００６／０３／２０  １３：５４」、及び、撮影枚数「２５枚」が呈示されている。なお、これらの情報は、たとえば、医用画像Ｇｉの画像データに付帯されているＤＩＣＯＭタグから取得される。
【００９０】
フィルム表示ボタン１３２０は、その医用画像Ｇｉを出力したフィルムを表示させるために操作（クリック）されるものである。このフィルム表示ボタン１３２０が操作されると、制御部１０は、その医用画像Ｇｉのフィルムの画像データの保管位置情報を記憶部６０から探索し、この保管位置情報に基づいて目的のフィルムの画像データを医療情報データベース６００から取得する。そして、制御部１０は、その医用画像Ｇｉのフィルム画像を表示部４０に表示させる。
【００９１】
なお、フィルムの画像データは、医用画像データベースや放射線科データベースなどに保管されており、その保管位置情報は、医用画像Ｇｉの画像データ（の保管位置情報など）とあらかじめ関連付けられている。
【００９２】
レポート表示ボタン１３３０は、その医用画像Ｇｉの読影レポートを表示させるために操作（クリック）される。このレポート表示ボタン１３３０が操作されると、制御部１０は、その医用画像Ｇｉの読影レポートの保管位置情報を記憶部６０から探索し、この保管位置情報に基づいて目的の読影レポートを医療情報データベース６００から取得する。そして、制御部１０は、その医用画像Ｇｉの読影レポートを表示部４０に表示させる。
【００９３】
なお、読影レポートは、読影レポートデータベースに保管されており、その保管位置情報は、医用画像Ｇｉの画像データ（の保管位置情報など）とあらかじめ関連付けられている。
【００９４】
医療情報表示画面１０００には、更に、ドキュメント取込ボタン１４００、追加ボタン１５００及び登録ボタン１６００が設けられている。
【００９５】
〔新規ドキュメントの管理：図４〕
オペレータがドキュメント取込ボタン１４００を操作（クリック）すると（Ｓ６）、制御部１０は、医療情報入力部２０を制御して医療情報Ｄ２を入力させる（Ｓ７）。医療情報管理部１１は、医療情報入力部２０により入力された医療情報Ｄ２を（外部記憶装置１０３に）記憶する（Ｓ８）。
【００９６】
ここで、医療情報入力部２０がドライブ装置３００やスキャナ装置４００の場合、医療情報入力部２０は、制御部１０の制御にしたがって、記録媒体や印刷媒体に記録された医療情報Ｄ２を読み取って制御部１０に入力する。
【００９７】
また、医療情報入力部２０がデジタルカメラ５００の場合、デジタルカメラ５００は、制御部１０の制御にしたがって、その内蔵メモリやメモリカードに記録された画像データを制御部１０に入力する。
【００９８】
また、医療情報入力部２０が通信インターフェイス１０８の場合には、オペレータは、医療情報Ｄ２のＩＰアドレスを事前に指定しておく（たとえばキーボードでＩＰアドレスを入力する）。通信インターフェイス１０８は、制御部１０の制御にしたがって、この指定されたＩＰアドレスに基づいてサーバ７００からインターネットＮ経由で医療情報Ｄ２を取得（ダウンロード）して制御部１０に入力する。
【００９９】
なお、医療情報入力部２０により入力される医療情報Ｄ２としては、一般的なコンピュータによって取り扱うことが可能な任意の拡張子を有するファイルを適用することが可能である。
【０１００】
医療情報入力部２０により医療情報Ｄ２が入力されると、制御部１０は、図７に示すように、この医療情報Ｄ２のアイコンＨを医療情報表示部１３００に表示させる（Ｓ９）。なお、図７の医療情報表示部１３００には、４つの医療情報Ｄ２（のファイル）が入力された場合における４つのアイコンＨ１〜Ｈ４が表示されている。
【０１０１】
また、制御部１０は、アイコンＨの下方にクリアボタン１７００を表示させる。オペレータが所望のアイコンＨｉ（ｉ＝１〜４）を指定（たとえばクリックで指定）し、かつ、クリアボタン１７００を操作（クリック）すると、医療情報管理部１１は、指定されたアイコンＨｉに対応する医療情報Ｄ２を外部記憶装置１０３から削除する。また、制御部１０は、指定されたアイコンＨｉを医療情報表示画面１０００上から削除する。
【０１０２】
オペレータが操作部５０を操作して所望のアイコンＨｉに対して所定の操作（たとえばダブルクリック）を行うと（Ｓ１０）、制御部１０は、図８に示すような医療情報プレビュー画面２０００を表示部４０に表示させる（Ｓ１１）。図８においては、医療情報プレビュー画面２０００は医療情報表示画面１０００に重畳表示されている。
【０１０３】
医療情報プレビュー画面２０００は、ステップＳ１０において操作が施されたアイコンＨｉに対応する医療情報Ｄ２をプレビュー表示するための画面である。この医療情報プレビュー画面２０００には、ファイル名表示部２１００、プレビューボタン２２００、プレビュー表示部２３００及び登録ボタン２４００が設けられている。
【０１０４】
ファイル名表示部２１００には、この医療情報Ｄ２のファイル名が表示される。オペレータがプレビューボタン２２００を操作（クリック）すると（Ｓ１２）、制御部１０は、ステップＳ１０にて操作が施されたアイコンＨｉに対応する医療情報Ｄ２をプレビュー表示部２３００に表示させる（Ｓ１３）。
【０１０５】
オペレータは、プレビュー表示部２３００に表示された医療情報Ｄ２の内容を確認して、カンファレンス用の資料として採用するか否か判断する（Ｓ１４）。資料として採用しない場合（Ｓ１４；Ｎ）、オペレータは、所定の操作を行って、他のアイコンＨｉに対応する医療情報Ｄ２のファイル名をファイル名表示部２１００に表示させ、更にプレビューボタン２２００を操作して他の医療情報Ｄ２をプレビュー表示させる（Ｓ１５）。
【０１０６】
ステップＳ１５における所定の操作は、キーボードで医療情報Ｄ２のファイル名をファイル名表示部２１００に入力することにより行うことができる。また、図８に示すファイル名表示部２１００とプレビューボタン２２００との間に配設された参照ボタンをクリックして医療情報Ｄ２のリストを表示させ、このリスト上から所望の医療情報Ｄ２を指定するように構成することもできる。
【０１０７】
プレビュー表示部２３０にプレビュー表示された医療情報Ｄ２をカンファレンス用の資料として採用する場合（Ｓ１４；Ｙ）、オペレータは、登録ボタン２４００を操作（クリック）する（Ｓ１６）。医療情報管理部１１は、登録ボタン２４００が操作されたことに対応し、この医療情報Ｄ２をカンファレンス用の資料として登録する（Ｓ１７）。
【０１０８】
ステップＳ１７の登録処理は、医療情報Ｄ２に対して所定のフラグを付与したり、登録された医療情報Ｄ２のリストを作成したりすることなどにより行うことができる。
【０１０９】
また、図７に示すように、各アイコンＨｉの下方には、編集ボタン１８００が設けられている。この編集ボタン１８００は、アイコンＨｉに対応する医療情報Ｄ２を必要に応じて編集するための操作（クリック）されるものである。
【０１１０】
オペレータが編集ボタン１８００を操作（クリック）すると（Ｓ１８）、制御部１０は、そのアイコンＨｉに対応する医療情報Ｄ２を呈示した医療情報編集画面３０００（図９参照）を表示させる（Ｓ１９）。この医療情報Ｄ２は、医療情報編集画面３０００の医療情報表示部３１００に表示される。このとき、制御部１０は、この医療情報Ｄ２の拡張子を参照するなどしてファイル形式を識別して適当なアプリケーションプログラムを起動させることにより、医療情報Ｄ２を表示させる。
【０１１１】
オペレータは、操作部５０（キーボード等）を操作することにより、医療情報編集画面３０００に表示された医療情報Ｄ２の内容を適宜に編集（情報の変更、追加、削除等）する（Ｓ２０）。編集が終了したら、所定の操作（たとえば画面右上端の「×」ボタンをクリック）して医療情報編集画面３０００を閉じる。医療情報管理部１１は、ステップＳ１９の編集結果を医療情報Ｄ２に反映させて記憶する（Ｓ２１）。
【０１１２】
オペレータを含む医師等は、医療情報管理システム１を上記のように使用することにより様々な医療情報Ｄ１、Ｄ２を参照しながらカンファレンスを実施する。
【０１１３】
〔医療情報を記憶する：図５〕
次に、図５のフローチャートを参照して、カンファレンスにて参照された医療情報を記憶するための医療情報管理システム１の使用形態について説明する。
【０１１４】
オペレータは、カンファレンス中やカンファレンス終了後に、資料としての重要性など、その資料の再利用の可能性を鑑みて、カンファレンスで参照した医療情報Ｄ１、Ｄ２のうちから所望の医療情報Ｄ１、Ｄ２を選択的に指定する（Ｓ３１）。
【０１１５】
ステップＳ３１における指定は、たとえば、通常のＯＳで用いられているように、指定対象のファイルを右クリックしてメニューを表示させ、このメニューから項目を選択することによって行うように構成することができる。また、カンファレンスにおける参照情報のリストを表示させ、所望の参照情報のチェックボックスにチェックマークを入力することによりステップＳ３１の指定を行うように構成することもできる。いずれにしても、カンファレンスにおける参照データのうちの所望のものを選択的に指定可能とする構成であればよい。
【０１１６】
なお、ステップＳ３１にて医療情報Ｄ１を指定するときには、図６の医療情報表示画面１０００を用いて、医用画像や電子カルテ等の医療情報Ｄ１を（プレビュー）表示させ、その内容を確認して指定の有無を判断することができる。また、医療情報Ｄ２を指定するときには、図８の医療情報プレビュー画面２０００を用いて、医療情報Ｄ２をプレビュー表示させ、その内容を確認して指定の有無を判断することができる。
【０１１７】
医療情報管理部１１は、指定された医療情報Ｄ１、Ｄ２に対して、前述の特定情報を付与する（Ｓ３２）。この特定情報は、前述のように、オペレータにより指定されたことを示すフラグや、指定された医療情報のリストにより構成されている。
【０１１８】
次に、データサイズ検出部１２は、特定情報が付与された各医療情報Ｄ２（医療情報入力部２０から入力されたもの：入力医療情報）のデータサイズを検出する（Ｓ３３）。データサイズ演算部１３は、これらの医療情報Ｄ２のそれぞれについて検出されたデータサイズの和を演算する（Ｓ３４）。データサイズ判断部１４は、これらの医療情報Ｄ２のデータサイズの和の値と所定の閾値との大小関係を判断する（Ｓ３５）。
【０１１９】
このデータサイズの和の値が所定の閾値以下であると判断された場合（Ｓ３５；Ｙ）、カンファレンスＩＤ付与部３０は、特定情報が付与された各医療情報Ｄ１（医療情報データベース６００から取得されたもの：取得医療情報）の保管位置情報に対し、当該カンファレンスのカンファレンスＩＤを関連付けるとともに（Ｓ３６）、特定情報が付与された各医療情報Ｄ２（入力医療情報）に対して当該カンファレンスＩＤを関連付ける（Ｓ３７）。
【０１２０】
医療情報管理部１１は、カンファレンスＩＤが関連付けられた医療情報Ｄ１の保管位置情報及び医療情報Ｄ２を、記憶部６０に記憶させる（Ｓ３８）。この場合の処理は、以上で終了となる。
【０１２１】
一方、データサイズの和の値が所定の閾値を超えると判断された場合（Ｓ３５；Ｎ）、制御部１０は、記憶させる医療情報Ｄ２のデータサイズが大きすぎる旨のメッセージを含むダイアログ等の情報（報知情報）を表示部４０に表示させてオペレータに報知する（Ｓ３９）。
【０１２２】
なお、報知情報は、このような視覚的なものには限定されず、たとえばエラー音等の音声情報などであってもよい。ただし、その報知情報を出力させるための構成を医療情報管理システム１（カンファレンス用コンピュータ１００）にあらかじめ設ける必要がある。たとえば、音声情報からなる報知情報を出力する場合には、アンプ回路やスピーカなどを用意しておく必要がある。
【０１２３】
オペレータは、出力された報知情報に基づいて記憶させる医療情報Ｄ２のデータサイズが大きすぎることを認識し、医療情報Ｄ２の指定を再度行う（Ｓ３１）。なお、これ以降の処理（ステップＳ３２〜）においては、医療情報Ｄ２に関する処理のみを実施するものとする。
【０１２４】
ステップＳ３５で「Ｙ」と判断されるまで上記の処理を反復し、カンファレンスＩＤを付与し（ステップＳ３６、Ｓ３７）、医療情報Ｄ１、Ｄ２を記憶部６０に記憶させる（ステップＳ３８）。以上で、この使用形態は終了となる。
【０１２５】
［作用・効果］
以上のような医療情報管理システム１の作用及び効果について説明する。
【０１２６】
まず、この医療情報管理システム１の医療情報データベース６００には、カンファレンスにおいて参照される医療情報Ｄ１が保管されている。また、医療情報入力部２０は、今回のカンファレンスにおいて新たに参照される医療情報（医療情報データベース６００には保管されていない医療情報）Ｄ２を入力するように作用する。表示部４０は、制御部１０の制御にしたがって、医療情報Ｄ１や医療情報Ｄ２を表示する。
【０１２７】
カンファレンスＩＤ付与部３０は、表示部４０に表示された医療情報Ｄ１、Ｄ２に対して今回のカンファレンスのカンファレンスＩＤ（識別情報）を関連付けるように作用する。制御部１０（医療情報管理部１１）は、カンファレンスＩＤ付与部３０による医療情報Ｄ１、Ｄ２とカンファレンスＩＤとの関連付け結果を記憶部６０に記憶させるように作用する。
【０１２８】
このように作用する医療情報管理システム１によれば、カンファレンスにて参照した医療情報Ｄ１、Ｄ２を各カンファレンス毎に関連付けて記憶しておくことができる。したがって、過去の所望のカンファレンスで参照した医療情報Ｄ１、Ｄ２を、そのカンファレンスのカンファレンスＩＤに基づいて容易に読み出して再利用することが可能である。
【０１２９】
また、この医療情報管理システム１は、医療情報入力部２０により入力された医療情報Ｄ２について、その医療情報Ｄ２と、その医療情報Ｄ２に関連付けられたカンファレンスＩＤとを上記関連付け結果として記憶するように作用する。
【０１３０】
医療情報Ｄ２は、前述のように、医療情報データベース６００には保管されていない情報であって、当該カンファレンスにおいて新たに参照された情報である。このような医療情報Ｄ２は、従来、医師のコンピュータや記録媒体や本棚にて保管されていたため、再利用するのが困難であった。
【０１３１】
しかし、この医療情報管理システム１によれば、医療情報Ｄ２自体をカンファレンスＩＤとともに記憶させるようになっているので、医療情報Ｄ２を容易に読み出して再利用することが可能である。
【０１３２】
また、この医療情報管理システム１は、医療情報データベース６００から取得された医療情報Ｄ１について、その医療情報Ｄ１の医療情報データベース６００における保管位置情報と、その医療情報Ｄ１に関連付けられたカンファレンスＩＤとを上記の関連付け結果として記憶するように作用する。
【０１３３】
医療情報Ｄ１には、医用画像や電子カルテなど、データサイズが大きいものが多数含まれているのが一般的である。したがって、医療情報Ｄ１自体を記憶部６０に記憶させるためには、極めて大きな記憶容量を有する記憶部６０を設ける必要がある。
【０１３４】
また、カンファレンス用コンピュータ１００は、医療情報データベース６００にアクセス可能に構成されている。そのため、記憶部６０に医療情報Ｄ１自体を記憶させると、医療情報Ｄ１が複数箇所に重複して記憶することになり、無駄が生じることになる。
【０１３５】
しかし、この医療情報管理システム１によれば、上記のように医療情報Ｄ１の保管位置情報にカンファレンスＩＤを関連付けて記憶部６０に記憶するようになっているので、医療情報Ｄ１自体を記憶させるための極めて大容量の記憶部６０を用意する必要もなく、重複して記憶することによる無駄も生じない。つまり、この医療情報管理システム１によれば、カンファレンスにて参照された医療情報を低コストで効率的に記憶させることが可能である。
【０１３６】
また、この医療情報管理システム１は、操作部５０を備えている。オペレータは、この操作部５０を操作することにより、表示部４０に表示された医療情報Ｄ１、Ｄ２のうちの所望のものを指定することができる。制御部１０（医療情報管理部１１）は、このようにして指定された医療情報Ｄ１、Ｄ２についてのみ、上記の関連付け結果を記憶部６０に記憶させるように作用する。
【０１３７】
このような医療情報管理システム１によれば、オペレータが必要と判断した医療情報の関連付け結果のみが記憶され、不要な医療情報については記憶されないので、記憶部６０の記憶容量を浪費することがない。また、医療情報の再利用時において、参照したい医療情報を探し出す手間が小さくなるという効果も奏される。
【０１３８】
また、この医療情報管理システム１は、操作部５０により指定された各医療情報Ｄ２のデータサイズを検出し、検出されたデータサイズの和を演算し、その和の値が所定の閾値以下であるか判断するとともに、この和の値が所定の閾値以下であると判断された場合にのみ各医療情報Ｄ２を記憶部６０に記憶させるように作用する。
【０１３９】
医療機関においては、多数のカンファレンスが実施され、多数の医療情報が記憶部６０に記憶される。しかし、記憶部６０の記憶容量をあまり大きくすることはできない（たとえばコスト面での制約による）。この医療情報管理システム１によれば、各カンファレンスにて記憶される医療情報Ｄ２のデータサイズに上記のような制限（所定の閾値）を加えることにより、限られた記憶容量の記憶部６０に多くのカンファレンスの医療情報を記憶することができる。
【０１４０】
なお、医療情報データベース６００から取得される医療情報Ｄ１については、その保管位置情報を記憶するようになっているので、必要な記憶容量は非常に小さなものである。したがって、医療情報入力部２０により入力される新たな医療情報Ｄ２についてのみ記憶容量に制限を加えれば十分である。
【０１４１】
また、この医療情報管理システム１は、記憶対象として指定した医療情報Ｄ２のデータサイズの和の値が所定の閾値を超えると判断されたときに表示メッセージや音声情報などの報知情報を出力するようになっている。したがって、オペレータは、記憶対象に指定した医療情報Ｄ２のデータサイズが大きすぎることを容易に認識して対処（データサイズの削減など）を行うことができる。
【０１４２】
なお、このような報知情報を出力する構成は、この発明の「報知手段」に相当する。たとえば、表示メッセージを出力する場合においては、制御部１０及び表示部４０が報知手段として作用する。また、音声情報を出力する場合においては、制御部１０及び音声出力部（アンプ回路やスピーカ等：図示せず）が報知手段として作用する。
【０１４３】
また、この医療情報管理システム１によれば、オペレータが操作部５０を操作することにより、記憶部６０に記憶される医療情報（特に医療情報Ｄ２）のプレビュー画面を表示させることができるので、記憶対象とする医療情報を容易に選択することができる。
【０１４４】
［医療情報管理装置について］
この発明に係る医療情報管理装置について説明する。
【０１４５】
この発明の医療情報管理装置は、医療情報を保管する少なくとも１つの医療情報データベースにアクセス可能とされ、医療情報を入力する入力手段と、医療情報データベースから取得された医療情報及び入力手段により入力された医療情報のそれぞれを表示する表示手段と、表示された医療情報に対して医用カンファレンスの識別情報を関連付ける関連付け手段と、記憶手段と、関連付け手段による医療情報と識別情報との関連付け結果を記憶手段に記憶させる制御手段とを備えるものである。
【０１４６】
上記の実施形態で説明した医療情報管理システム１において、カンファレンス用コンピュータ１００、カンファレンスデータベース２００、ドライブ装置３００、スキャナ装置４００、デジタルカメラ５００の組合せが、この発明に係る医療情報管理装置の一例に相当する。
【０１４７】
図３のブロック図を参照すると、制御部１０（特に医療情報管理部１１）は、この医療情報管理装置の制御手段として機能する。また、ドライブ装置３００、スキャナ装置４００及びデジタルカメラ５００のそれぞれは、この医療情報管理装置の入力手段として機能する。また、表示部４０は、この医療情報管理装置の表示手段として機能する。また、カンファレンスＩＤ付与部３０は、この医療情報管理装置の関連付け手段として機能する。また、記憶部６０は、この医療情報管理装置の記憶手段として機能する。
【０１４８】
この発明に係る医療情報管理装置は、上記の実施形態にて説明した各種の作用を実現可能に構成することが可能である。
【０１４９】
［医療情報管理プログラムについて］
この発明に係る医療情報管理プログラムについて説明する。
【０１５０】
この発明に係る医療情報管理プログラムは、医療情報を保管する少なくとも１つの医療情報データベースにアクセス可能とされ、医療情報を入力する入力手段と、表示手段と、記憶手段とを備えるコンピュータを動作させるコンピュータプログラムである。具体的に説明すると、この医療情報管理プログラムは、表示手段に表示された医療情報データベースから取得された医療情報及び入力手段により入力された医療情報に対して、医用カンファレンスの識別情報を関連付ける関連付け手段として上記コンピュータを機能させるとともに、関連付け手段による医療情報と識別情報との関連付け結果を記憶手段に記憶させる制御手段として上記コンピュータを機能させるものである。
【０１５１】
上記の実施形態で説明した医療情報管理システム１において、カンファレンス用コンピュータ１００、カンファレンスデータベース２００、ドライブ装置３００、スキャナ装置４００、デジタルカメラ５００の組合せが、ここに言う「コンピュータ」の一例に相当する。なお、各手段については、上記医療情報管理装置の場合と同様である。
【０１５２】
［変形例］
以上に詳述した構成は、この発明に係る医療情報管理システム、医療情報管理装置及び医療情報管理プログラムを好適に実施するための一具体例に過ぎない。したがって、この発明の要旨の範囲内における任意の変形を適宜に施すことが可能である。
【０１５３】
たとえば、上記の実施形態では、医療情報データベース６００から取得された医療情報Ｄ１の保管位置情報を記憶部６０に記憶するようになっているが、この発明においては、医療情報Ｄ１自体を記憶するように構成することもできる。ただし、記憶容量が十分に大きい記憶部６０を用意したり、記憶部６０の記憶内容を頻繁に消去したりするなどの対策が実用上必要となる。
【０１５４】
また、上記の実施形態では、医療情報入力装置２０により入力された医療情報Ｄ２についてのみ記憶対象のデータサイズの制限を設けているが、医療情報Ｄ１自体を記憶させるように構成する場合においては、記憶対象に指定した医療情報Ｄ１のデータサイズに制限を設けることが可能である。
【０１５５】
また、この発明においては、過去のカンファレンスで参照された医療情報を一括で読み出すための構成を設けることが可能である。
【０１５６】
そのために、まず、操作部５０を用いて、過去に実施されたカンファレンスのカンファレンスＩＤを入力できるようにする。このカンファレンスＩＤの入力方法としては、たとえば、各患者毎にカンファレンスの実施日を記憶しておき、患者が指定（患者ＩＤが入力等）されたことに対応して、当該患者のカンファレンス実施日リストを選択指定可能に表示するように構成することができる。また、キーボード等を用いてカンファレンスＩＤを入力するように構成できる。また、過去のカンファレンスのカンファレンスＩＤのリストを表示し、マウス等を用いて所望のカンファレンスＩＤを選択的に指定するように構成することもできる。
【０１５７】
制御部１０（医療情報管理部１１）は、過去のカンファレンスのカンファレンスＩＤが指定されたときに、そのカンファレンスＩＤに対応する関連付け結果を記憶部６０から読み出す。この読出処理は、カンファレンスＩＤを検索キーとして記憶部６０内を検索することにより容易に行うことができる。
【０１５８】
制御部１０は、記憶部６０から読み出された関連付け結果に基づいて医療情報を表示部４０に表示させる。たとえば、医療情報Ｄ１については、記憶部６０から読み出された関連付け結果、すなわち医療情報Ｄ１の保管位置情報とカンファレンスＩＤとの関連付け結果を基に、制御部１０は、この保管位置情報を参照して医療情報データベース６００を検索して目的の医療情報Ｄ１を取得し、表示部４０に表示させる。
【０１５９】
また、医療情報Ｄ２については、記憶部６０から読み出された関連付け結果、すなわち医療情報Ｄ２とカンファレンスＩＤとの関連付け結果を基に、この医療情報Ｄ２を表示部４０に表示させる。
【０１６０】
また、他の患者に対する過去のカンファレンスで参照した医療情報を再利用できるように構成することも可能である。たとえば、病名や症状などを検索キーとして他の患者に対する過去のカンファレンスを検索し、そのカンファレンスにて参照した医療情報を表示させることができる。また、ティーチングファイルに記録されている医療情報を検索して表示させることもできる。
【０１６１】
また、医療情報が文字列情報を含んでいる場合などに、その医療情報の要約を表示させるように構成することができる。このような要約の表示は、医療情報入力部２０により入力された医療情報Ｄ２を取り込むときのプレビュー表示を行うときや、記憶対象とする医療情報を選択するときのプレビュー表示を行うときなどに便利である。
【０１６２】
たとえば、論文や学会誌などにおいては、まずタイトルが記載され、次に筆者名が記載されるなど、文書のレイアウトがほぼ一定である。そこで、このような文書のレイアウトに基づいて、要約として適当な文字列（たとえばタイトル）を抽出して表示させることができる。
【０１６３】
また、要約を含む文書においては、たとえば「要約」や「ａｂｓｔｒａｃｔ」などの文字列を検索し、この文字列に続いて記載された内容（の一部）を要約として抽出して表示させることができる。
【０１６４】
また、学会名、学会誌名、出版年月日などを示す文字列を検索して要約として表示させるようにしてもよい。更に、病名や症状などを検索して要約として表示させてもよい。
【０１６５】
また、医用画像などの画像情報についても、その画像を解析して撮影された身体部位などの当該画像を特徴付ける情報を取得して要約として表示させるように構成することも可能である。
【図面の簡単な説明】
【０１６６】
【図１】この発明に係る医療情報管理システムの好適な実施の形態の全体構成の一例を表す概略図である。
【図２】この発明に係る医療情報管理システムの好適な実施の形態のハードウェア構成の一例を表す概略ブロック図である。
【図３】この発明に係る医療情報管理システムの好適な実施の形態の機能的構成の一例を表す概略ブロック図である。
【図４】この発明に係る医療情報管理システムの好適な実施の形態の使用形態の一例を表すフローチャートである。
【図５】この発明に係る医療情報管理システムの好適な実施の形態の使用形態の一例を表すフローチャートである。
【図６】この発明に係る医療情報管理システムの好適な実施の形態により表示される表示画面の形態の一例を表す概略図である。
【図７】この発明に係る医療情報管理システムの好適な実施の形態により表示される表示画面の形態の一例を表す概略図である。
【図８】この発明に係る医療情報管理システムの好適な実施の形態により表示される表示画面の形態の一例を表す概略図である。
【図９】この発明に係る医療情報管理システムの好適な実施の形態により表示される表示画面の形態の一例を表す概略図である。
【符号の説明】
【０１６７】
１  医療情報管理システム
１０  制御部
１１  医療情報管理部
１２  データサイズ検出部
１３  データサイズ演算部
１４  データサイズ判断部
２０  医療情報入力部
３０  カンファレンスＩＤ付与部
４０  表示部
５０  操作部
６０  記憶部
１００  カンファレンス用コンピュータ
１０１  マイクロプロセッサ
１０２  主記憶装置
１０３  外部記憶装置
１０３ａ  コンピュータプログラム
１０４  コンソール
１０５  表示デバイス
１０６  操作デバイス
１０７  周辺機器インターフェイス
１０８  通信インターフェイス
２００  カンファレンスデータベース
３００  ドライブ装置
４００  スキャナ装置
５００  デジタルカメラ
６００、６００Ａ、６００Ｂ、６００Ｃ  医療情報データベース
７００  サーバ
１０００  医療情報表示画面
１２００  診療カレンダー表示部
１３００  医療情報表示部
１３２０  フィルム表示ボタン
１３３０  レポート表示ボタン
１４００  ドキュメント取込ボタン
１５００  追加ボタン
１６００  登録ボタン
１７００  クリアボタン
１８００  編集ボタン
２０００  医療情報プレビュー画面
２１００  ファイル名表示部
２２００  プレビューボタン
２３００  プレビュー表示部
２４００  登録ボタン
３０００  医療情報編集画面
３１００  医療情報表示部
Ｄ１、Ｄ２  医療情報
Ｌ１、Ｌ２、Ｌ３  接続線
Ｎ  インターネット
【図１】
2008090715.tif 000003
【図２】
2008090715.tif 000004
【図３】
2008090715.tif 000005
【図４】
2008090715.tif 000006
【図５】
2008090715.tif 000007
【図６】
2008090715.tif 000008
【図７】
2008090715.tif 000009
【図８】
2008090715.tif 000010
【図９】
2008090715.tif 000011